(57)【特許請求の範囲】
【請求項１】
入賞口の開口部内側に設けられると共に、遊技球が通過可能な通過領域を備え、前記入賞口に入賞した遊技球が前記入賞口の開口部からの入賞経路上に配置された前記通過領域を通過することにより遊技球の入賞を検出する遊技機の入賞検出装置であって、
前記通過領域を通過する遊技球が当接する位置に設けられ、当接した遊技球の通過方向に対応して作動する検出部材と、
遊技球が所定の方向から前記通過領域を通過する場合に前記検出部材を検出する第１の検出手段と、
遊技球が前記所定の方向とは反対の方向から前記通過領域を通過する場合に前記検出部材を検出する第２の検出手段と、
前記第１の検出手段及び第２の検出手段の検出結果に基づいて、前記入賞口に入賞した遊技球の球数をカウントする計数手段と、
を備えた遊技機の入賞検出装置。
【請求項２】
前記計数手段は、前記第１の検出手段により検出された遊技球の球数を入賞カウント値として加算すると共に、前記第２の検出手段により検出された遊技球の球数を前記入賞カウント値から減算することを特徴とする請求項１記載の遊技機の入賞検出装置。
【請求項３】
前記計数手段は、前記第２の検出手段で遊技球を検出した場合に、前記第１の検出手段により検出された遊技球の球数のカウントを中断すると共に、再び第１の検出手段で遊技球を検出した場合に、前記入賞口に入賞した遊技球の球数のカウントを開始することを特徴とする請求項１記載の遊技機の入賞検出装置。
【請求項４】
前記第１の検出手段及び前記第２の検出手段が同一筐体内に形成されたことを特徴とする請求項１から請求項３の何れか１項に記載の遊技機の入賞検出装置。
【発明の詳細な説明】
【０００１】
【発明の属する技術分野】
本発明は、遊技盤上の入賞口へ入賞した遊技球を検出する遊技機の入賞検出装置に関する。
【０００２】
【従来の技術及び発明が解決しようとする課題】
従来、遊技機、特にパチンコ機においては、ゲージ盤上には複数の入賞口が設けられている。このようなパチンコ機は、複数の入賞口のうち、特に、始動入賞口（特別図柄始動入賞口）に入賞したパチンコ球を検出することで、抽選がなされ、この抽選の結果、当たりとなると（当たり状態）、大入賞口が所定時間、所定回数開放され、パチンコ球の入賞率を高める、遊技者に有利な状態とする機能を有している。
【０００３】
通常、各入賞口には、入賞したパチンコ球を検出するための入賞検出装置が設けられており、この入賞検出装置によってパチンコ球の通過を検出し、入賞球数をカウントするようになっている。なお、この入賞検出装置では、通過するパチンコ球の移動方向に関わらず、パチンコ球自体の通過を検出している。
【０００４】
ところが、このような入賞検出装置を備えたパチンコ機においては、悪意のある遊技者によって、パチンコ球に線材等を接続したもの（所謂、探り球）を用い、その探り球が入賞検出装置の検出部を通過するように往復移動させて入賞球カウント値を不正にカウントアップさせるという不正行為が行われてしまうことがある。
【０００５】
また、特開平５−２５６６０４号公報には、パチンコ球の発射装置近傍に、パチンコ球の移動方向も検出可能な検出装置を設け、発射／ファール球を検出し、発射総球数をカウントする技術が開示されている。
【０００６】
この技術では、パチンコ球の移動方向の検出のための、コイルを用いた近接センサを２つ並べて配置して構成された検出装置が提案されている。
【０００７】
ところが、このような近接センサでは互いのコイルの磁界の影響による発振等が懸念され、少なくとも両コイル間を所定距離離間して配置する等の制限が生じる（例えば、オムロン社製、型式ＴＬ−ＰＰ１５３では、２０ｍｍ以上離間して配置することを推奨している。）と共に、上記の探り球を使った入賞球カウント値を不正にカウントアップさせる不正行為が容易に行われてしまうことがある。
【０００８】
本発明は、上記の問題点を解決すべく成されたもので、コンパクトな構成で、遊技球の入賞に関わる不正行為を防止すると共に、入賞球を精度よく検出可能な遊技機を得ることを目的とする。
【０００９】
【課題を解決するための手段】
請求項１に記載の発明は、入賞口の開口部内側に設けられると共に、遊技球が通過可能な通過領域を備え、前記入賞口に入賞した遊技球が前記入賞口の開口部からの入賞経路上に配置された前記通過領域を通過することにより遊技球の入賞を検出する遊技機の入賞検出装置であって、前記通過領域を通過する遊技球が当接する位置に設けられ、当接した遊技球の通過方向に対応して作動する検出部材と、遊技球が所定の方向から前記通過領域を通過する場合に前記検出部材を検出する第１の検出手段と、遊技球が前記所定の方向とは反対の方向から前記通過領域を通過する場合に前記検出部材を検出する第２の検出手段と、前記第１の検出手段及び第２の検出手段の検出結果に基づいて、前記入賞口に入賞した遊技球の球数をカウントする計数手段と、を備えている。
【００１０】
請求項１に記載の発明によれば、通常、入賞口に入賞した遊技球は、入賞口の開口部からの入賞経路上を所定方向へ移動する。この入賞経路上には遊技球が通過可能な通過領域が配置されており、入賞口から入賞して入賞経路上を移動する遊技球がこの通過領域を通過することにより遊技球の入賞を検出する。検出部材は、入賞した遊技球が通過する通過領域に、遊技球が当接する位置に設けられる。この検出部材は、通過領域を通過する遊技球が当接することによって、当接した遊技球の通過方向に対応して作動する。入賞経路上を所定の方向から移動する遊技球が、この入賞経路上に配置された通過領域を通過した場合には、第１の検出手段で前記検出部材が検出される。また、所定の方向とは反対の方向から通過領域を通過した場合には、第２の検出手段で前記検出部材が検出される。このことにより、第１の検出手段及び第２の検出手段よって、検出部材を介して入賞経路上を移動する遊技球の移動方向を検知することができる。計数手段は、前記第１の検出手段及び第２の検出手段の検出結果に基づいて、入賞口に入賞した遊技球の球数をカウントする。これにより、入賞口に入賞したのち、入賞口の開口部からの入賞経路上に配置された通過領域を通過する遊技球の移動方向に応じて、入賞口に入賞した遊技球の球数をカウントすることができる。
【００１１】
請求項２に記載の発明は、請求項１に記載の発明において、前記計数手段は、前記第１の検出手段により検出された遊技球の球数を入賞カウント値として加算すると共に、前記第２の検出手段により検出された遊技球の球数を前記入賞カウント値から減算することを特徴としている。
【００１２】
請求項２に記載の発明によれば、計数手段によってカウントされる入賞カウント値は、第１の検出手段により検出された遊技球の球数のみとすることができる。これにより、例えば、第１の検出手段により検出する遊技球の通過方向を正規に入賞した遊技球の通過方向とすれば、計数手段では、正規の入賞球数を適切にカウントすることができる。
【００１３】
請求項３に記載の発明は、請求項１に記載の発明において、前記計数手段は、前記第２の検出手段で遊技球を検出した場合に、前記第１の検出手段により検出された遊技球の球数のカウントを中断すると共に、再び第１の検出手段で遊技球を検出した場合に、前記入賞口に入賞した遊技球の球数のカウントを開始することを特徴としている。
【００１４】
請求項３に記載の発明によれば、計数手段によってカウントされる入賞カウント値は、第１の検出手段により検出された遊技球の球数のみとすることができ、請求項２に記載の発明と同様にして、計数手段では正規の入賞球数を適切にカウントすることができる。
【００１９】
請求項４に記載の発明は、請求項１乃至請求項３の何れか１項に記載の発明において、前記第１の検出手段及び前記第２の検出手段が同一筐体内に形成されたことを特徴としている。
【００２０】
請求項４に記載の発明によれば、前記第１の検出手段及び前記第２の検出手段が同一筐体内に形成されたことにより、外乱の影響による第１の検出手段及び前記第２の検出手段での検出エラーを抑えると共に、設置箇所の省スペース化を実現できる。
【００２１】
【発明の実施の形態】
以下、図面を参照して本発明の実施の形態を詳細に説明する。
（第１の実施の形態）
まず、本発明の第１の実施の形態ついて詳細に説明する。
【００２２】
図１には、本第１の実施の形態に係るパチンコ機１１０の遊技盤１１１が示されている。この遊技盤１１１における円弧状のレール１１２で囲まれた領域が遊技領域であるゲージ部１１４とされている。ゲージ部１１４には、全面に渡って複数の釘が打ち込まれ、レール１１２を通って打ち出されたパチンコ球がこの釘１１６に当たって跳ねたり、釘１１６によって形成される案内路に案内されながら、落下していくようになっている。また、この釘１１６のほか、ゲージ部１１４に向かって左右対称の位置には、風車１１８が取り付けられており、パチンコ球を予期しない方向へ方向転換させるようになっている。
【００２３】
さらに、ゲージ部１１４には複数の位置に入賞口１２０が設けられ、この入賞口１２０にパチンコ球が入ることにより、所定数のパチンコ球が遊技者に払い出されるようになっている。
【００２４】
このようなゲージ部１１４は、ほぼ左右対称系とされており、この中央部には特別図柄変動装置１２２が配置され、その表示部１２４が露出されている。この表示部１２４の下方には特別図柄変動装置１２２を始動するための第１の始動口としての特別図柄始動入賞口１２６が設けられている。
【００２５】
特別図柄始動入賞口１２６のさらに下方には、大入賞口１２８が配置され、前記特別図柄変動装置１２２での所謂当たりの表示状態で所定時間開放され、大量のパチンコ球を入賞させることができる構成となっている。
【００２６】
なお、特別図柄始動入賞口１２６に入賞したパチンコ球は、最大４球分保留され、特別図柄変動装置１２２による抽選結果の案内が終了した時点で、保留された分が消化されるようになっている。この保留球の数は、ゲージ部１１４の一部に設けられた４個の特別図柄保留ランプ（図示省略）の点灯／消灯状態によって報知している（点灯が保留）。
【００２７】
また、ゲージ部１１４には、第２の始動口としての普通図柄始動領域１３０と、０〜９までの一桁の数字を表示可能な普通図柄表示部１３２とが設けられており、普通図柄始動領域１３０にパチンコ球が入賞すると、普通図柄表示部１３２の表示が変動し、所定の当たり数字になると、前記特別図柄始動入賞口１２６に設けられた可動部としての電動チューリップ１３４が所定時間開放するようになっている。この電動チューリップ１３４の開放により、特別図柄始動入賞口１２６への入賞の確率が物理的に高まることになる。
【００２８】
上記ゲージ部１１４の下部にはパネル１４０が設けられており、このパネル１４０の前面側にはパチンコ球を発射するためのハンドル１３６と、パチンコ球を受ける受け皿１３８とが設けられている。ハンドル１３６は、前記パネル１４０の内部から突出された回転軸に取付けられており、この回転軸を中心に回転可能とされている。すなわち、遊技者がこのハンドル１３６を把持して回転することで、前記パネル１４０内部に設けられた発射装置が稼動すると共に、前記ハンドル１３６の回転角度に基づいて発射強度が設定されるようになっている。なお、この回転には、付勢力が付与されており、遊技者が手を離すと自動的にもとの回転位置に戻る構造となっている。
【００２９】
図２には、パチンコ機１１０を制御するための制御系の概略が示されている。制御系は、主制御基板１５０を中心として、払出制御基板１５２、音声制御基板１５４、ランプ制御基板１５６、発射制御基板１５８、表示制御基板１６０等、機能毎に分類されている（なお、以下これらを総称する場合副制御基板１５１という）。
【００３０】
主制御基板１５０には、遊技に関する基本的なプログラムが記憶されており、この主制御基板１５０からの命令信号に基づいて、その他の副制御基板１５１が独自に実行する。
【００３１】
払出制御基板１５２は、パチンコ球の払出し数を制御するものであり、音声制御基板１５４は、パチンコ機１１０に設けられたスピーカ１６２からの効果音等の出力を制御する。また、ランプ制御基板１５６は、パチンコ機１１０に取り付けられた電飾部材（遊技盤状態表示灯）１６４、及び図示しない特別図柄保留ランプ及び普通図柄保留ランプ等の点灯・消灯を制御し、発射制御基板１５８は、遊技者によるパチンコ球の発射を制御する。
【００３２】
表示制御基板１６０は、前記表示部１２４が表示ドライバ１６６を会して接続されており、主制御基板１５０からの命令信号に基づいて、所定の演出効果をもたらす表示を実行する。また、表示制御基板１６０は、普通図柄表示部１３２も制御する。
【００３３】
前記主制御基板１５０には、特別図柄始動入賞口１２６に設けられた特別図柄入賞センサ１６８及び普通図柄始動領域１３０に設けられた普通図柄入賞センサ１７０、並びに各入賞口１２０に設けられた入賞センサ１７２が接続されている。また、この主制御基板１５０には、電動チューリップ１３４を開閉させるためのソレノイド１７４が接続されている。
【００３４】
また、主制御基板１５０では、特別図柄や普通図柄の抽選がなされ、この抽選結果に基づく表示部１２４での表示内容を選択し、表示制御部１６０へ命令信号を出力する。すなわち、表示制御部１６０には、複数の命令信号に基づく異なる表示内容のデータが予め記憶されており、命令信号に基づいてデータが選択されて、起動するようになっている。また、主制御基板１５０及び副制御基板１５１は、信号線２０２により管理制御基板２００に接続されている。この管理制御基板２００は、信号線２０８を介して、管理制御基板２００で処理した様々なデータをホールコンピュータ２０６へ出力する。これにより、店側で各パチンコ機１１０の状況を把握することができる。
【００３５】
図３には、上記の特別図柄入賞センサ１６８、普通図柄入賞センサ１７０、及び各入賞センサ１７２としての入賞球検出センサ３００が示されている。
【００３６】
この入賞球検出センサ３００は、略直方体形状の筐体を有しており、その上底面と下底面とが貫通され、パチンコ球Ｐが通過可能な大きさの検出孔３０２が設けられている。この検出孔３０２は、上記の各入賞センサに入賞後のパチンコ球の移動経路上に位置するように配置されている。
【００３７】
また、検出孔３０２の側面部に設けられた長方形形状の切り欠き部３０２Ａからは、後述する検出プレート３０４の先端部が突出されており、その先端部が検出孔３０２を通過するパチンコ球Ｐと当接するようになっている。
【００３８】
図４には、入賞球検出センサ３００の、図３のＡ−Ａ線に沿った断面の概略が示されている。上記検出プレート３０４は略Ｔ字形状であり、そのＴ字形状の両上端部はパチンコ球Ｐの球面に対応させてラウンドカットされている。また、検出プレート３０４は、軸３０４ＡによってＴ字形状の重心位置で軸支されており、この軸３０４Ａを中心に図４（Ａ）の矢印Ｃ１、Ｃ２方向に回動可能とされている。この検出プレート３０４のＴ字形状の下端部近傍において、図４（Ａ）の上方には第１フォトセンサ３０６が設けられており、図４（Ａ）の下方には第２フォトセンサ３０８が設けられている。第１フォトセンサ３０６と第２フォトセンサ３０８とは同一構成であって、外形は略凹字形状となっており、それぞれ中空部３０６Ａ、３０８Ａを有している（図５参照）。図５に示すように、第１フォトセンサ３０６の中空部３０６Ａ、第２フォトセンサ３０８の中空部３０８Ａ、及び検出プレート３０４のＴ字形状の下端部は同一直線上に配置されている。これにより、検出プレート３０４が図４（Ａ）の矢印Ｃ１、Ｃ２方向に回動することによって、検出プレート３０４のＴ字形状の下端部は第１フォトセンサ３０６の中空部３０６Ａ及び第２フォトセンサ３０８の中空部３０８Ａに対応する位置に移動可能となっている。
【００３９】
ここで、第１フォトセンサ３０６と第２フォトセンサ３０８とは同一構成のため、第１フォトセンサ３０６の構成についてのみ説明すると、第１フォトセンサ３０６は中空部３０６Ａに面する、互いに対向する側面上において、一方の側面上に発光部（図示せず）を有し、他方の側面上に受光部（図示せず）を有している。この第１フォトセンサ３０６が有する発光部は発光ダイオード等の発光素子を備え、受光部はフォトトランジスタ等の受光素子を備えており、発光部から発せられた光を受光部で受光するようになっている。第１フォトセンサ３０６は、発光部から発せられた光を受光部で受光している間は未検出状態であり、検出プレート３０４のＴ字形状の下端部によって発光部から発せられた光が遮光されると検出状態となり、検出信号を出力するようになっている。これにより、第１フォトセンサ３０６及び第２フォトセンサ３０８では、検出プレート３０４のＴ字形状の下端部が各中空部３０６Ａ、３０８Ａに対応する位置に移動した場合に、検出信号を出力することができる。
【００４０】
また、第１フォトセンサ３０６及び第２フォトセンサ３０８各々は、入賞検出信号出力部３１０に接続されている。この入賞検出信号出力部３１０は、第１フォトセンサ３０６及び第２フォトセンサ３０８の各検出信号に対応した所定の入賞検出信号を主制御基板１５０へ出力するものである。
【００４１】
例えば、パチンコ球Ｐが検出孔３０２を図４（Ｂ）の矢印Ａ方向へ通過する場合には、検出孔３０２を通過するパチンコ球Ｐが検出プレート３０４に当接することによって、検出プレート３０４は図４（Ａ）の矢印Ｃ１方向へ回動し、第１フォトセンサ３０６の中空部３０６Ａに対応する位置に移動するようになっている。これにより、第１フォトセンサ３０６から入賞検出信号出力部３１０へ検出信号を伝達し、入賞検出信号出力部３１０は第１フォトセンサ３０６による検出に対応する入賞検出信号を主制御基板１５０へ伝達することができる。
【００４２】
また、パチンコ球Ｐが検出孔３０２を図４（Ｃ）の矢印Ｂ方向へ通過する場合には、検出孔３０２を通過するパチンコ球Ｐが検出プレート３０４に当接することによって、検出プレート３０４は図４（Ａ）の矢印Ｃ２方向へ回動し、第２フォトセンサ３０８の中空部３０８Ａに対応する位置に移動するようになっている。これにより、第２フォトセンサ３０８から入賞検出信号出力部３１０へ検出信号を伝達し、入賞検出信号出力部３１０は第２フォトセンサ３０８による検出に対応する入賞検出信号を主制御基板１５０へ伝達することができる。
【００４３】
また、上記の検出プレート３０４は、付勢力が付与されており、パチンコ球Ｐが当接していない状態では、図４（Ａ）に示す位置に復帰するようになっている。
【００４４】
なお、第１フォトセンサ３０６は本発明の第１の検出手段に対応し、第２フォトセンサ３０８は本発明の第２の検出手段に対応している。また、本発明の計数手段は、主制御基板１５０により実現されている。
【００４５】
次に本第１の実施の形態の作用について詳細に説明する。
【００４６】
まず、パチンコ球が発射されると、レール１１２に案内されてゲージ部１１４の釘１１６や風車１１８等に当接しながら、予測し得ない移動をしながら落下していく。ここで、入賞口１２０に入賞すると、予め定められた数のパチンコ球が払い出される（賞球）。また、普通図柄始動領域１３０に入賞するとこれを普通図柄入賞センサ１７０で検出する。
【００４７】
この検出により、主制御基板１５０では、普通図柄の抽選が開始される。すなわち、乱数カウンタを用いて、所定の確率で０〜９までの数字を抽選する。抽選の結果、はずれの場合には、特に遊技状態に変化はない。一方、抽選の結果、当たり（例えば、当たり数字の７が抽選される）の場合には、主制御基板１５０は、特別図柄始動入賞口１２６に設けられた電動チューリップ１３４を開放状態とするべく、ソレノイド１７４へ通電する。これにより、特別始動入賞口１２６にパチンコ球が入り易い、高確率状態とすることができる。
【００４８】
前記特別図柄始動入賞口１２６にパチンコ球が入賞すると、主制御基板１５０では、乱数カウンタを用いて所定の確率で大当たり抽選が開始される。この大当たり抽選の結果、当たり／はずれが決定すると、それぞれにおいて、予め準備された演出パターン（図柄変動パターン）を選択（乱数カウンタで選択してもよい）し、表示制御基板１６０を含む演出に関連する制御基板へコマンド信号を送出する。
【００４９】
表示制御基板１６０では、受信したコマンド信号に基づいて、表示ドライバ１６６を介して表示部１２４に図柄変動パターンを表示する。この図柄変動パターンにおいては、リーチを経由した当たり、はずれリーチ、リーチを経由しないはずれ等、様々な演出があり、遊技者は期待感を持って抽選結果を待つことができる。
【００５０】
ここで、当たりとなった場合には、大入賞口１２８が所定時間、所定回数開放することで、パチンコ球の入賞の確率が極めて大きくなる、遊技者に有利な状態とすることができる。
【００５１】
上述のように入賞口１２０、普通図柄始動領域１３０、及び特別図柄始動入賞口１２６にパチンコ球が入賞すると、入賞したパチンコ球は、それぞれ、入賞センサ１７２、普通図柄入賞センサ１７０、及び特別図柄入賞センサ１６８としての入賞球検出センサ３００によって検出され、主制御基板１５０では図６に示す処理ルーチンが実行される。
【００５２】
まずステップ４００では、受信した入賞検出信号に基づいて、入賞したパチンコ球（入賞球）が第１フォトセンサ３０６により検出されたか否かを判断する。
【００５３】
ステップ４００で肯定判断の場合には、入賞球は正規に入賞したことになるので、ステップ４０２へ進み、入賞球数を示す入賞カウント値をインクリメントして、本処理ルーチンを終了する。
【００５４】
一方、ステップ４００で否定判断の場合には、入賞球は不正入賞したことになるので、ステップ４０４へ進み、上記の入賞カウント値をデクリメントして、本処理ルーチンを終了する。
【００５５】
以上の処理により、正規の入賞球のみを入賞カウント値としてカウントすることができると共に、不正入賞による入賞カウント値のカウントアップを防止できる。
【００５６】
また、上述した図６に示す処理ルーチンの変形例として、図７に示す処理ルーチンを実行してもよい。
【００５７】
まず、上述した図６に示す処理ルーチンと同様にステップ４００では、受信した入賞検出信号に基づいて、入賞したパチンコ球（入賞球）が第１フォトセンサ３０６により検出されたか否かを判断する。
【００５８】
ステップ４００で肯定判断の場合には、入賞球は正規に入賞したことになるので、ステップ４０２Ａへ進み、入賞球数をカウントして、本処理ルーチンを終了する。
【００５９】
一方、ステップ４００で否定判断の場合には、入賞球は不正入賞したことになるので、ステップ４０４Ａへ進み、入賞球数のカウントを停止して、本処理ルーチンを終了する。
【００６０】
以上の処理により、上述した図６に示す処理ルーチンと同様に正規の入賞球のみを入賞カウント値としてカウントすることができると共に、不正入賞による入賞カウント値のカウントアップを防止できる。
（第２の実施の形態）
次に、本発明の第２の実施の形態ついて詳細に説明する。
【００６１】
本第２の実施の形態では、上述の第１の実施の形態に係る入賞球検出センサ３００（図３参照）に替えて、図８に示す入賞球検出センサ５００を用いている。すなわち、この入賞球検出センサ５００は、上述の第１の実施の形態に係るパチンコ機１１０の制御系における特別図柄入賞センサ１６８、普通図柄入賞センサ１７０、及び各入賞センサ１７２として用いるものであり、その用途は上述の第１の実施の形態の場合と同様である。
【００６２】
図８に示すように、入賞球検出センサ５００は、略直方体形状の筐体を有しており、その上底面と下底面とが貫通され、パチンコ球Ｐが通過可能な大きさの検出孔５０２が設けられている。この検出孔５０２は、上記の各入賞センサに入賞後のパチンコ球の移動経路上に位置するように配置されている。また、入賞球検出センサ５００は上段部５０４と下段部５０６とからなる。
【００６３】
図９には、入賞球検出センサ５００の、図８のＡ−Ａ線に沿った断面の概略が示されている。
【００６４】
上段部５０４の検出孔５０２の周縁部には検出コイル５０４Ａが設けられている。この検出コイル５０４Ａは、検出孔５０２の周縁部に所定の磁界を発生させ、検出孔５０２を通過するパチンコ球Ｐの影響によるインピーダンスの変化によって検出信号を出力するようになっている。
【００６５】
また、下段部５０６の検出孔５０２の周縁部には、互いに対向して配置された発光部５０６Ｂ及び受光部５０６Ｃによって構成されたフォトセンサ５０６Ａが設けられている。このフォトセンサ５０６Ａが有する発光部５０６Ｂは発光ダイオード等の発光素子を備え、受光部５０６Ｃはフォトトランジスタ等の受光素子を備えており、発光部５０６Ｂから発せられた光を受光部５０６Ｃで受光するようになっている。また、フォトセンサ５０６Ａは、発光部５０６Ｂから発せられた光を受光部５０６Ｃで受光している間は未検出状態であり、検出孔５０２を通過するパチンコ球Ｐによって発光部５０６Ｂから発せられた光が遮光されると検出状態となり、検出信号を出力するようになっている。
【００６６】
また、検出コイル５０４Ａ及びフォトセンサ５０６Ａの各々は、入賞検出信号出力部５０８に接続されている（図示省略）。この入賞検出信号出力部５０８は、検出コイル５０４Ａ及びフォトセンサ５０６Ａからの各検出信号のうち先に受信した検出信号に対応する所定の入賞検出信号を主制御基板１５０へ伝達するようになっている。このことにより、検出孔５０２を通過するパチンコ球Ｐの移動方向によって検出コイル５０４Ａ及びフォトセンサ５０６Ａの何れか一方の検出信号に対応する所定の入賞検出信号が主制御基板１５０へ伝達されるので、主制御基板１５０では、伝達される入賞検出信号によって検出孔５０２を通過するパチンコ球Ｐの移動方向を検知することができる。
【００６７】
例えば、パチンコ球Ｐが検出孔５０２を図９（Ｂ）の矢印Ａ方向へ通過する場合には、検出孔５０２を通過するパチンコ球Ｐが上段部５０４を通過することによって、検出コイル５０４Ａのインピーダンスが変化し、検出コイル５０４Ａから入賞検出信号出力部５０８へ検出信号が伝達されるようになっている。
【００６８】
また、パチンコ球Ｐが検出孔５０２を図９（Ｃ）の矢印Ｂ方向へ通過する場合には、検出孔５０２を通過するパチンコ球Ｐが下段部５０６を通過することによって、フォトセンサ５０６Ａの発光部５０６Ｂから発生された光がパチンコ球Ｐによって遮光されて、フォトセンサ５０６Ａは検出状態となり、フォトセンサ５０６Ａから入賞検出信号出力部５０８へ検出信号が伝達されるようになっている。
【００６９】
なお、検出コイル５０４Ａは本発明の第１の検出手段に対応し、フォトセンサ５０６Ａは本発明の第２の検出手段に対応している。また、本発明の計数手段は、上述の第１の実施の形態と同様に、主制御基板１５０により実現されている。
【００７０】
次に本第２の実施の形態の作用について詳細に説明する。
【００７１】
上述の第１の実施の形態と同様に、入賞口１２０、普通図柄始動領域１３０、及び特別図柄始動入賞口１２６にパチンコ球が入賞すると、入賞したパチンコ球は、それぞれ、入賞センサ１７２、普通図柄入賞センサ１７０、及び特別図柄入賞センサ１６８としての入賞球検出センサ５００によって検出され、主制御基板１５０では図１０に示す処理ルーチンが実行される。
【００７２】
まずステップ６００では、受信した入賞検出信号に基づいて、入賞したパチンコ球（入賞球）が検出コイル５０４Ａにより検出されたか否かを判断する。
【００７３】
ステップ６００で肯定判断の場合には、入賞球は正規に入賞したことになるので、ステップ６０２へ進み、入賞球数を示す入賞カウント値をインクリメントして、本処理ルーチンを終了する。
【００７４】
一方、ステップ６００で否定判断の場合には、入賞球は不正入賞したことになるので、ステップ６０４へ進み、上記の入賞カウント値をデクリメントして、本処理ルーチンを終了する。
【００７５】
以上の処理により、上述の第１の実施の形態と同様に、正規の入賞球のみを入賞カウント値としてカウントすることができると共に、不正入賞による入賞カウント値のカウントアップを防止できる。
【００７６】
また、上述した図１０に示す処理ルーチンの変形例として、図１１に示す処理ルーチンを実行してもよい。
【００７７】
まず、上述した図１０に示す処理ルーチンと同様にステップ６００では、受信した入賞検出信号に基づいて、入賞したパチンコ球（入賞球）が検出コイル５０４Ａにより検出されたか否かを判断する。
【００７８】
ステップ６００で肯定判断の場合には、入賞球は正規に入賞したことになるので、ステップ６０２Ａへ進み、入賞球数をカウントして、本処理ルーチンを終了する。
【００７９】
一方、ステップ６００で否定判断の場合には、入賞球は不正入賞したことになるので、ステップ６０４Ａへ進み、入賞球数のカウントを停止して、本処理ルーチンを終了する。
【００８０】
以上の処理により、上述した図１０に示す処理ルーチンと同様に正規の入賞球のみを入賞カウント値としてカウントすることができると共に、不正入賞による入賞カウント値のカウントアップを防止できる。
【００８１】
なお、本第２の実施の形態に係る入賞球検出センサ５００において、上段部５０４では、検出コイル５０４Ａに替えてフォトセンサ５０６Ａと同一構成のフォトセンサを用いてもよい。
【００８２】
以上説明したように、上述の各実施の形態に係るパチンコ機おいては、遊技球の通過方向を検知可能なコンパクトな構成の入賞球検出センサを用いて、正規に入賞した入賞球の数のみをカウントすることができると共に、外部から不正に入賞球の球数をカウントアップさせる不正行為を防止することができる。
【００８３】
なお、上述の各実施の形態に係る入賞球検出センサにおいて、不正入賞を検出した場合に、不正行為がなされたとして、その旨の情報を報知する報知手段を別途設けてもよい。
【００８４】
【発明の効果】
以上説明したように本発明によれば、第１の検出手段及び第２の検出手段により検知した遊技球の通過方向に基づいて入賞球のカウントを行うようにしたので、コンパクトな構成で、遊技球の入賞に関わる不正行為を防止すると共に、入賞球を精度よく検出可能な遊技機を得ることができるという優れた効果を有する。
【図面の簡単な説明】
【図１】本発明の各実施の形態に係るパチンコ機の概略正面図である。
【図２】本発明の各実施の形態に係るパチンコ機の制御系を示すブロック図である。
【図３】本発明の第１の実施の形態に係る入賞球検出センサの外観の概略を示す斜視図である。
【図４】（Ａ）、（Ｂ）、及び（Ｃ）は、本発明の第１の実施の形態に係る入賞球検出センサの作動を説明するための、図３のＡ−Ａ線に沿った概略断面図である。
【図５】本発明の第１の実施の形態に係る入賞球検出センサの内部機構の概略を示す斜視図である。
【図６】本発明の第１の実施の形態に係る入賞カウント処理の流れを示すフローチャートである。
【図７】図６に示す入賞球検出処理の流れの一部を変形した、入賞カウント処理の流れを示すフローチャートである。
【図８】本発明の第２の実施の形態に係る入賞球検出センサの外観の概略を示す斜視図である。
【図９】（Ａ）、（Ｂ）、及び（Ｃ）は、本発明の第２の実施の形態に係る入賞球検出センサの作動を説明するための、図８のＡ−Ａ線に沿った概略断面図である。
【図１０】本発明の第２の実施の形態に係る入賞カウント処理の流れを示すフローチャートである。
【図１１】図１０に示す入賞球検出処理の流れの一部を変形した、入賞カウント処理の流れを示すフローチャートである。
【符号の説明】
１１０    パチンコ機（遊技機）
１１４    ゲージ部
１２０    入賞口
１２６    特別図柄始動入賞口
１２８    大入賞口
１３０    普通図柄始動領域
１５０    主制御基板
１６８    特別図柄入賞センサ
１７０    普通図柄入賞センサ
１７２    入賞センサ
３００、５００    入賞球検出センサ
３０２、５０２    検出孔
３０４    検出プレート
３０６    第１フォトセンサ
３０８    第２フォトセンサ
３１０、５０８    入賞検出信号出力部
５０４Ａ  検出コイル
５０６Ａ  フォトセンサ
【図１】
0003788903.tif 000002
【図２】
0003788903.tif 000003
【図３】
0003788903.tif 000004
【図４】
0003788903.tif 000005
【図５】
0003788903.tif 000006
【図６】
0003788903.tif 000007
【図７】
0003788903.tif 000008
【図８】
0003788903.tif 000009
【図９】
0003788903.tif 000010
【図１０】
0003788903.tif 000011
【図１１】
0003788903.tif 000012